(57)【要約】【課題】流体の供給・吸引口を有する挿入部の先端部を細径化することのできる内視鏡を提供する。【解決手段】本発明に係る内視鏡１０は、挿入部１２の先端部４４の外周面にバルーン６０が装着され、バルーン６０に流体を供給・吸引するための供給・吸引口６４を備える。先端部４４は、円柱状の先端部本体８０と、先端部本体８０に嵌合されて先端部本体８０の基端側に配置される円筒状の先端スリーブ７０とを備える。先端スリーブ７０は、内周面に突出した突出部７４を有し、突出部７４の位置に供給・吸引口６４が形成される。突出部７４と、先端部本体８０と先端スリーブ７０との固定部は、先端スリーブ７０の軸方向に並んで配置される。【選択図】  図３
2008206692.tif 000002
【特許請求の範囲】
【請求項１】
内視鏡挿入部の先端部の外周面にバルーンが装着され、該バルーンに流体を供給・吸引するための供給・吸引口が形成された内視鏡において、
前記先端部は、円柱状の先端部本体と、該先端部本体に嵌合されて該先端部本体の基端側に配置される円筒状の先端スリーブとを備え、
前記先端スリーブは、内周面に突出した突出部を有し、該突出部の位置に前記供給・吸引口が形成されるとともに、
前記突出部と、前記先端部本体と前記先端スリーブとの固定部が、前記先端スリーブの軸方向に並んで配置されることを特徴とする内視鏡。
【請求項２】
前記固定部は、
前記突出部の先端側に配置され、且つ、前記先端スリーブの内周面に突出して形成される第１の係合突起部と、
前記先端部本体の基端面から突出して形成され、前記先端部本体を前記先端スリーブに対して相対的に周方向に回転させることによって前記第１の係合突起部に係合される第２の係合突起部と、
前記先端部本体の基端面に軸方向に形成された位置決め孔と、前記突出部に軸方向に形成された貫通孔と、
前記貫通孔及び前記位置決め孔に挿入される位置決めピンと、を備え、
前記第１、第２の係合突起部を係合させることによって、前記先端部本体と前記先端スリーブの軸方向への移動が規制され、
前記位置決めピンを前記貫通孔及び前記位置決め孔に挿入することによって、前記先端部本体と前記先端スリーブとの回転が規制されることを特徴とする請求項１に記載の内視鏡。
【請求項３】
前記固定部は、
前記突出部の先端側に前記先端スリーブの内周面から突出して形成されるとともに、外周面から孔が形成されたネジ止め部と、
前記先端部本体に形成され、前記ネジ止め部が嵌め込まれるとともに、該ネジ止め部が嵌め込まれた際に前記孔の直線上に形成されるネジ孔を有する溝と、を備え、
前記ネジ止め部を前記溝に嵌め込み、前記孔を介して前記ネジ孔にネジを締め込むことによって、前記先端部本体と前記先端スリーブとが固定されることを特徴とする請求項１に記載の内視鏡。
【発明の詳細な説明】
【技術分野】
【０００１】
本発明は内視鏡に係り、特に挿入部の先端部にバルーンが装着される内視鏡に関する。
【背景技術】
【０００２】
内視鏡には、様々な用途によりバルーンが装着される。例えば、小腸や大腸等の深部消化管を観察する内視鏡には、その挿入部の先端外周面にバルーンが装着され、このバルーンを膨張させることによって挿入部が消化管に固定される。また、超音波内視鏡には、挿入部の先端に設けた超音波トランスデューサを囲繞するようにバルーンが装着され、このバルーンに超音波伝達媒体が充填されることによって超音波が伝達される。
【０００３】
バルーンが装着される内視鏡の場合、バルーンの装着位置には流体の供給・吸引口が形成されている。たとえば、小腸や大腸を観察する内視鏡は、挿入部の先端部（先端硬質部または先端構成部ともいう）の外周面に供給・吸引口が形成されており、この供給・吸引口からバルーンに流体が供給、吸引される（特許文献１参照）。
【０００４】
ところで、挿入部の先端部は、略円柱状の先端部本体に、筒体の先端スリーブを連結することによって構成されている。また、挿入部の先端部の内部には、観察光学系やその後方に配置されるＣＣＤ、観察光学系の観察窓に水またはエアを噴射する送気・送水ノズル、観察範囲を照射するための照射窓、内視鏡処置具を挿通させるための鉗子孔（吸引チャンネルを兼ねる場合もある）等が設けられている。したがって、挿入部の先端部は、内容物の充填密度が高く、さらに、先端部本体と先端スリーブとを固定するためのスペースも必要であるため、先端部の細径化が難しいという問題がある。そこで、特許文献２の内視鏡は、先端部本体と先端スリーブとの固定部を、内容物を避けて配置している。
【特許文献１】特開２００４−３２９６４５号公報
【特許文献２】実開昭６４−１７５１１号公報
【発明の開示】
【発明が解決しようとする課題】
【０００５】
しかしながら、前述した供給・吸引口も、内容物を避けて配置する必要がある。すなわち、供給・吸引口はその周辺部分を内側に突出させて肉厚にする必要があるため、突出部分が内容物に干渉しないように、内容物を避けて配置する必要がある。したがって、バルーン用の内視鏡は、先端部本体と先端スリーブとの固定部だけでなく、供給・吸引口を内容物から避けて配置する必要があり、挿入部の先端部が大きくなるという問題があった。
【０００６】
本発明はこのような事情に鑑みて成されたもので、流体の供給・吸引口を有する挿入部の先端部を細径化することのできる内視鏡を提供することを目的とする。
【課題を解決するための手段】
【０００７】
請求項１に記載の発明は前記目的を達成するために、内視鏡挿入部の先端部の外周面にバルーンが装着され、該バルーンに流体を供給・吸引するための供給・吸引口が形成された内視鏡において、前記先端部は、円柱状の先端部本体と、該先端部本体に嵌合されて該先端部本体の基端側に配置される円筒状の先端スリーブとを備え、前記先端スリーブは、内周面に突出した突出部を有し、該突出部の位置に前記供給・吸引口が形成されるとともに、前記突出部と、前記先端部本体と前記先端スリーブとの固定部が、前記先端スリーブの軸方向に並んで配置されることを特徴とする。
【０００８】
請求項１の発明によれば、先端部本体と先端スリーブとを固定する固定部と、供給・吸引口を形成するための突出部とが、先端スリーブの軸方向に並んで配置されるので、その両方を内容物に干渉しない位置に配置しながら、挿入部の先端部を細径化することができる。すなわち、請求項１の発明によれば、突出部の前方に形成される空きスペースに固定部を設けることによって、スペースを有効に利用することができ、先端部を細径化することができる。
【０００９】
請求項２に記載の発明は請求項１の発明において、前記固定部は、前記突出部の先端側に配置され、且つ、前記先端スリーブの内周面に突出して形成される第１の係合突起部と、前記先端部本体の基端面から突出して形成され、前記先端部本体を前記先端スリーブに対して相対的に周方向に回転させることによって前記第１の係合突起部に係合される第２の係合突起部と、前記先端部本体の基端面に軸方向に形成された位置決め孔と、前記突出部に軸方向に形成された貫通孔と、前記貫通孔及び前記位置決め孔に挿入される位置決めピンと、を備え、前記第１、第２の係合突起部を係合させることによって、前記先端部本体と前記先端スリーブの軸方向への移動が規制され、前記位置決めピンを前記貫通孔及び前記位置決め孔に挿入することによって、前記先端部本体と前記先端スリーブとの回転が規制されることを特徴とする。
【００１０】
請求項２の発明によれば、第１、第２の係合突起部を係合させ、位置決めピンを貫通孔及び位置決め孔に挿入することによって、先端部本体と先端スリーブが固定される。
【００１１】
請求項３に記載の発明は請求項１の発明において、前記固定部は、前記突出部の先端側に前記先端スリーブの内周面から突出して形成されるとともに、外周面から孔が形成されたネジ止め部と、前記先端部本体に形成され、前記ネジ止め部が嵌め込まれるとともに、該ネジ止め部が嵌め込まれた際に前記孔の直線上に形成されるネジ孔を有する溝と、を備え、前記ネジ止め部を前記溝に嵌め込み、前記孔を介して前記ネジ孔にネジを締め込むことによって、前記先端部本体と前記先端スリーブとが固定されることを特徴とする。
【発明の効果】
【００１２】
本発明によれば、先端部本体と先端スリーブとを固定するための固定部と、供給・吸引口を形成するための突出部とが、先端スリーブの軸方向に並んで配置されるので、その両方を内容物に干渉しないように配置しながら、挿入部の先端部を細径化することができる。
【発明を実施するための最良の形態】
【００１３】
以下添付図面に従って本発明に係る内視鏡の好ましい実施の形態について詳述する。
【００１４】
図１は本発明に係る内視鏡が適用される内視鏡装置の一例を示すシステム構成図である。図１に示すように内視鏡装置は主として、内視鏡１０及びバルーン制御装置１００で構成される。
【００１５】
内視鏡１０は、手元操作部１４と、この手元操作部１４に連設されて体内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって挿入部１２の先端に設けた照明光学系５４（図２参照）に照明光が送られる。また、ＬＧコネクタ１８には、ケーブル２２を介して電気コネクタ２４が接続され、この電気コネクタ２４がプロセッサ２６に着脱自在に連結される。
【００１６】
手元操作部１４には、送気・送水ボタン２８、吸引ボタン３０、シャッターボタン３２、及び機能切替ボタン３４が並設されるとともに、一対のアングルノブ３６、３６が設けられる。手元操作部１４の基端部には、Ｌ状に屈曲した管によってバルーン送気口３８が形成されている。このバルーン送気口３８にエア等の流体を供給、或いは吸引することによって、後述のバルーン６０を膨張、或いは収縮させることができる。
【００１７】
挿入部１２は、手元操作部１４側から順に軟性部４０、湾曲部４２、及び先端部４４で構成される。軟性部４０は、十分な可撓性を有する部分であり、湾曲部４２の基端側に連設されている。
【００１８】
湾曲部４２は、手元操作部１４のアングルノブ３６、３６を回動することによって遠隔的に湾曲するように構成される。たとえば、湾曲部４２は、円筒状の複数の節輪をガイドピンで回動自在に連結するとともに、節輪の内部に複数本の操作ワイヤを挿通させてガイドピンにガイドさせ、その操作ワイヤを押し引き操作することによって、節輪同士が回動して湾曲部４２が湾曲操作されるようになっている。この湾曲部４２を湾曲操作することによって、先端部４４を所望の方向に向けることができる。なお、先端部４４の内部構成については後に詳説する。
【００１９】
図２に示すように、先端部４４の先端面４５には、観察光学系５２、照明光学系５４、５４、送気・送水ノズル５６、鉗子口５８が設けられる。観察光学系５２の後方にはＣＣＤ（不図示）が配設され、このＣＣＤを支持する基板に信号ケーブル（不図示）が接続される。信号ケーブルは挿入部１２、手元操作部１４、ユニバーサルケーブル１６等に挿通されて電気コネクタ２４まで延設され、プロセッサ２６に接続される。よって、観察光学系５２で取り込まれた観察像がＣＣＤの受光面に結像されて電気信号に変換され、この電気信号が信号ケーブルを介して図１のプロセッサ２６に出力され、映像信号に変換される。これにより、プロセッサ２６に接続されたモニタ５０に観察画像が表示される。
【００２０】
図２の照明光学系５４、５４は、その後方にライトガイド（不図示）の出射端が配設され、ライトガイドは図１の挿入部１２、手元操作部１４、ユニバーサルケーブル１６に挿通されてＬＧコネクタ１８内に入射端が配設される。したがって、ＬＧコネクタ１８を光源装置２０に連結することによって、光源装置２０から照射された照明光がライトガイドを介して図２の照明光学系５４、５４に伝送され、照明光学系５４、５４から前方に照射される。
【００２１】
送気・送水ノズル５６は、図１の送気・送水ボタン２８によって操作されるバルブ（不図示）に連通され、このバルブがＬＧコネクタ１８に設けた送気・送水コネクタ４８に連通される。送気・送水コネクタ４８には不図示の送気・送水手段が接続され、エア及び水が供給される。したがって、送気・送水ボタン２８を操作することによって、送気・送水ノズル５６からエア又は水を観察光学系に向けて噴射することができる。
【００２２】
図２の鉗子口５８は、図１の鉗子挿入部４６に連通される。よって、鉗子挿入部４６から鉗子等の処置具を挿入することによって、処置具を鉗子口５８から導出することができる。また、鉗子口５８は、吸引ボタン３０によって操作されるバルブに連通され、このバルブがＬＧコネクタ１８の吸引コネクタ４９に接続される。したがって、吸引コネクタ４９に不図示の吸引手段を接続し、吸引ボタン３０でバルブを操作することによって、鉗子口５８から病変部等を吸引することができる。
【００２３】
ところで、図２示すように、挿入部１２の外周面には、ゴム等の弾性体から成るバルーン６０が装着される。バルーン６０は、端部が絞られた略筒状に形成されており、小径の先端部６０Ａ及び基端部６０Ｂと、中央の膨出部６０Ｃで構成される。バルーン６０は、挿入部１２を挿通させて挿入部１２の所定の位置に配置した後、先端部６０Ａ、基端部６０Ｂにゴム製のリング６１、６２を嵌め込むことによって、挿入部１２に固定される。なお、先端部６０Ａ、基端部６０Ｂの固定方法は特に限定するものではなく、糸を巻回することによって固定してもよい。
【００２４】
先端部４４の外周面には、流体を供給・吸引するための供給・吸引口６４が形成されている。この供給・吸引口６４は、図１の手元操作部１４に設けられたバルーン送気口３８に連通されており、バルーン送気口３８は、後述のチューブ１１０を介してバルーン制御装置１００に接続される。バルーン６０は、バルーン制御装置１００でエアを供給することによって略球状に膨張し、エアを吸引することによって挿入部１２の外表面に張り付くようになっている。
【００２５】
バルーン制御装置１００は、バルーン６０にエア等の流体を供給・吸引する装置である。バルーン制御装置１００は主として、装置本体１０２と、リモートコントロール用のハンドスイッチ１０４で構成される。
【００２６】
装置本体１０２の前面には、電源スイッチＳＷ１、停止スイッチＳＷ２、圧力表示部１０６が設けられる。圧力表示部１０６はバルーン６０の圧力値を表示するパネルであり、バルーン破れ等の異常発生時にはこの圧力表示部１０６にエラーコードが表示される。
【００２７】
装置本体１０２の前面には、バルーン６０へのエア供給・吸引を行うチューブ１１０が接続される。チューブ１１０と装置本体１０２との接続部分にはバルーン６０が破れた時の体液の逆流を防止するための逆流防止ユニット１１２が設けられる。逆流防止ユニット１１２は、装置本体１０２に着脱自在に装着された中空円盤状のケース（不図示）の内部に気液分離用のフィルタを組み込むことによって構成されており、装置本体１０２内に液体が流入することをフィルタによって防止する。
【００２８】
一方、ハンドスイッチ１０４には、各種のスイッチが設けられる。たとえば、装置本体１０２側の停止スイッチＳＷ２と同様の停止スイッチや、バルーン６０の加圧／減圧を指示するＯＮ／ＯＦＦスイッチ、バルーン６０の圧力を保持するためのポーズスイッチなどが設けられる。このハンドスイッチ１０４はコード１３０を介して装置本体１０２に電気的に接続されている。なお、図１には示してないが、ハンドスイッチ１０４には、バルーン６０の送気状態、或いは排気状態を示す表示部が設けられている。
【００２９】
上記の如く構成されたバルーン制御装置１００は、バルーン６０にエアを供給して膨張させるとともに、そのエア圧を一定値に制御してバルーン６０を膨張した状態に保持する。また、バルーン６０からエアを吸引して収縮させるとともに、そのエア圧を一定値に制御してバルーン６０を収縮した状態に保持する。
【００３０】
バルーン制御装置１００は、バルーン専用モニタ８２に接続されており、バルーン６０を膨張、収縮させる際に、バルーン６０の圧力値や膨張・収縮状態をバルーン専用モニタ８２に表示する。なお、バルーン６０の圧力値や膨張・収縮状態は、内視鏡１０の観察画像にスーパーインポーズしてモニタ５０に表示するようにするようにしてもよい。
【００３１】
上記の如く構成された内視鏡装置の操作方法の一例としては、挿入部１２をプッシュ式で挿入していき、必要に応じてバルーン６０を膨張させて挿入部１２を体内（たとえば大腸）に固定する。そして、挿入部１２を引いて体内（たとえば大腸）の管形状を単純化した後、バルーン６０を収縮させて挿入部１２をさらに腸管の深部に挿入する。たとえば、挿入部１２を被検者の肛門から挿入し、挿入部１２の先端がＳ状結腸を過ぎた際にバルーン６０を膨張させて挿入部１２を腸管に固定し、挿入部１２を引いてＳ状結腸を略直線状にする。そして、バルーン６０を収縮させて、挿入部１２の先端を腸管の深部に挿入していく。これにより、挿入部１２を腸管の深部に挿入することができる。なお、上述した内視鏡１０を、バルーン付きの挿入補助具（不図示）とともに、ダブルバルーン式内視鏡装置として使用してもよい。
【００３２】
次に、本発明の特徴部分である挿入部１２の先端部４４の内部構成について説明する。
【００３３】
先端部４４は、図３、図４に示すように、円柱状の先端部本体８０と、円筒状の先端スリーブ７０とを備える。先端部本体８０は、その軸方向に複数の孔（不図示）が形成されており、この孔に上述した観察光学系５２、ＣＣＤ（不図示）、照明光学系５４などが装着される。また、孔を利用して送気チャンネルや鉗子（吸引）チャンネルが形成される。
【００３４】
先端スリーブ７０は、先端部本体８０に外嵌され、先端部本体８０と同軸上に配置される。また、先端スリーブ７０は、先端部本体８０の基端側に突出した状態で取り付けられ、この先端スリーブ７０の基端には、湾曲部４２の節輪７２が連結される。
【００３５】
さらに、先端スリーブ７０は、供給・吸引口６４の周辺部分を肉厚にするため、突出部７４が内周面から突出して形成されている。突出部７４には、供給・吸引口６４から孔７５が形成されており、この孔７５は、供給・吸引口６４から径方向に形成された後、途中で基端側に傾斜して形成されている。孔７５の端部には、不図示のパイプやチューブが接続され、図１のバルーン送気口３８に連通される。これにより、供給・吸引口６４が図１のバルーン送気口３８に連通されるので、バルーン送気口３８に流体の供給・吸引を行うことによって、供給・吸引口６４から流体の供給・吸引が行われる。
【００３６】
突出部７４には、貫通孔７８が形成される。貫通孔７８は、孔７５に干渉しない位置に、先端スリーブ７０の軸方向に形成されている。
【００３７】
突出部７４の先端側には、第１の係合突起部７６が形成される。係合突起部７６は、先端スリーブ７０の内周面から突出して形成されており、その基端部には、傾斜した傾斜面７７が形成されている。
【００３８】
一方、先端部本体８０には、基端面８０Ａから突出して第２の係合突起部８６が形成されている。係合突起部８６には、傾斜した傾斜面８７が形成されており、第１の係合突起部７６の傾斜面７７に面接触するようになっている。なお、第１の係合突起部７６と第２の係合突起部８６とを係合させることによって、先端部本体８０が先端スリーブ７０に対して軸方向に移動することが規制される。
【００３９】
先端部本体８０の基端面８０Ａには、位置決め孔８８が軸方向に形成されている。位置決め孔８８は、第１の係合突起部７６と第２の係合突起部８６とが係合した際に、貫通孔７８の直線上となる位置に形成されている。したがって、貫通孔７８及び位置決め孔８８に同時に、位置決めピン８４を挿通することができる。
【００４０】
上記の如く構成された先端部本体８０と先端スリーブ７０は、以下のようにして固定される。まず、第１の係合突起部７６と第２の係合突起部８６との位置を周方向に少しずらした状態で、先端スリーブ７０を先端部本体８０に外嵌させる。そして、先端スリーブ７０を外嵌させた後、先端スリーブ７０を先端部本体８０に対して相対的に周方向に回転させ、第１の係合突起部７６と第２の係合突起部８６とを係合させる。これにより、先端部本体８０が先端スリーブ７０に対して軸方向に抜けることが防止される。
【００４１】
次に、先端スリーブ７０の貫通孔７８と先端部本体８０の位置決め孔８８との位置を正確に合わせて、位置決めピン８４を挿入する。これにより、先端スリーブ７０と先端部本体８０との回転が規制される。位置決めピン８４の挿入後、位置決めピン８４の端部に接着剤を塗布し、位置決めピン８４を固定する。これにより、先端部本体８０と先端スリーブ７０とが固定される。
【００４２】
このように本実施の形態によれば、先端部本体８０と先端スリーブ７０との位置を合わせて位置決めピン８４を挿入するだけで、先端部本体８０と先端スリーブ７０とを容易に組み立てることができる。
【００４３】
次に上記の如く構成された先端部４４の作用について説明する。図５は、図３の５−５線の位置における先端部４４の断面図である。
【００４４】
図５に示すように、先端部４４の内部には、ＣＣＤを支持する基板９０、ライトガイド９１、９１、送気・送水チャンネルのチューブ９２、鉗子チャンネルのチューブ９３などの内容物が配設されており、先端部４４の内部は、内容物の充填密度が高くなっている。このため、先端部本体８０と先端スリーブ７０との固定部材や、供給・吸引口６４を形成するための突出部分を、先端部４４の内部に個別に配置すると、先端部４４が大きくなるという問題が生じる。
【００４５】
そこで、本実施の形態では、供給・吸引口６４を形成するための突出部７４の先端側に、第１、第２の係合突起部７６、８６を配設している。突出部７４の前方は、内容物が配置されない空きスペースであり、このスペースに係合突起部７６、８６を配置することによって、スペースを有効に活用することができる。これにより、先端部４４を小型化することができる。
【００４６】
なお、上述した実施形態は、第１、第２の係合突起部７６、８６を傾斜面７７、８７同士で当接させるように形成したが、係合突起部７６、８６の形状はこれに限定されるものではなく、軸方向に係合する形状であればよい。したがって、図６に示すように、係合突起部７６、８６にそれぞれ、軸と直交する係合面７９、８９を形成し、この係合面７９、８９同士で当接させるようにしてもよい。
【００４７】
なお、図６に示す係合突起部７６には、ストッパ８３が形成されている。このストッパ８３は、先端部本体８０を先端スリーブ７０に対して回転させた際に、貫通孔７８と位置決め孔８８とが直線上に並ぶ位置で、第１の係合突起部７６に当接されるようになっている。したがって、貫通孔７８と位置決め孔８８との位置合わせを容易に行うことができる。なお、先端部本体８０と先端スリーブ７０との回転を規制するストッパは、第１の係合突起部７６に形成してもよい。
【００４８】
図７は、図３と異なる形状の先端スリーブ７０及び先端部本体８０を示す断面図である。これらの図に示すように、先端スリーブ７０には、突出部７４に連続して突出部７４の先端側にネジ固定部９４が形成されている。ネジ固定部９４は、突出部７４と同様、先端スリーブ７０の内周面から突出して形成されており、このネジ固定部９４に、外周面から孔９５が形成されている。孔９５は、外側の座繰り部９５Ａと内側のネジ部９５Ｂとを有する。
【００４９】
一方、先端部本体８０には、ネジ固定部９４が基端面９０Ａから嵌め込まれる溝９６が形成されている。溝９６には、ネジ孔９７が径方向に形成されている。このネジ孔９７は、ネジ固定部９４を溝９６に嵌め込んだ際に、孔９５の直線上に形成されている。
【００５０】
上記の如く構成された先端部本体８０と先端スリーブ７０は、ネジ固定部９４を溝９６に嵌め込んだ後、孔９５を介してネジ孔９７にネジ（不図示）を螺入することによって固定される。
【００５１】
上記の如く構成された先端部４４の場合にも、先端部本体８０と先端スリーブ７０とを固定するためのネジ固定部９４及び溝９６を、突出部７４の先端側に形成したので、突出部７４の先端側の空きスペースを有効に利用することができ、先端部４４を小型化することができる。
【００５２】
なお、上述した実施形態は、バルーン６０によって挿入部１２を消化管に固定する消化管観察用の内視鏡の例であるが、本発明はこの種の内視鏡に限定するものではなく、たとえば、超音波伝達媒体などの充填する目的でバルーンを装着する超音波内視鏡に適用してもよい。
【図面の簡単な説明】
【００５３】
【図１】本発明に係る内視鏡が適用された内視鏡装置のシステム構成図
【図２】挿入部の先端部を示す斜視図
【図３】先端部の構成を示す断面図
【図４】先端部の構成部品を示す斜視図
【図５】図３の５−５線における先端部の断面図
【図６】図４と異なる形状の先端部の構成部品を示す斜視図
【図７】図３と異なる形状の先端部の構成を示す断面図
【符号の説明】
【００５４】
１０…内視鏡、１２…挿入部、１４…手元操作部、４０…軟性部、４１…本体、４２…湾曲部、４３…スリーブ、４４…先端部、４６…開口、６０…バルーン、６４…供給・吸引口、７０…先端スリーブ、７４…突出部、７５…孔、７６…第１の係合突起部、７８…貫通孔、８０…先端部本体、８４…位置決めピン、８６…第２の係合突起部、８８…位置決め孔
【図１】
2008206692.tif 000003
【図２】
2008206692.tif 000004
【図３】
2008206692.tif 000005
【図４】
2008206692.tif 000006
【図５】
2008206692.tif 000007
【図６】
2008206692.tif 000008
【図７】
2008206692.tif 000009